【手続補正書】
【提出日】平成17年3月23日(2005.3.23)
【手続補正１】
【補正対象書類名】明細書
【補正対象項目名】特許請求の範囲
【補正方法】変更
【補正の内容】
【特許請求の範囲】
【請求項１】
外部の画像形成装置に接続され、読取画像にスタンプ画像を組み込むスタンプ機能を有する画像形成装置であって、
少なくとも一言語のスタンプ画像に関する情報を記憶するスタンプ画像記憶手段と、
前記スタンプ画像記憶手段に記憶されたスタンプ画像を、自装置に接続された前記外部の画像形成装置に出力するために、前記外部の画像形成装置との通信情報に基づいて、前記外部の画像形成装置がスタンプ機能を有するか否かを判定する判定手段と、
前記判定手段により、前記外部の画像形成装置がスタンプ機能を有すると判定された場合に、前記外部の画像形成装置への前記スタンプ画像の出力に必要なスタンプ出力情報を決定して前記外部の画像形成装置に送信する送信手段と、
を備えることを特徴とする画像形成装置。
【請求項２】
外部の画像形成装置に接続され、読取画像にスタンプ画像を組み込むスタンプ機能を有する画像形成装置であって、
少なくとも一言語のスタンプ画像に関する情報を記憶するスタンプ画像記憶手段と、
前記スタンプ画像記憶手段に記憶されたスタンプ画像を、自装置に接続された前記外部の画像形成装置に出力するために、前記外部の画像形成装置との通信情報に基づいて、前記外部の画像形成装置がスタンプ機能を有するか否かを判定する判定手段と、
前記判定手段により、前記外部の画像形成装置にスタンプ機能がないと判定された場合、前記外部の画像形成装置に対するスタンプ画像出力を行うか、前記スタンプ画像の出力動作を停止するかを指定する指定手段と、
を備えることを特徴とする画像形成装置。
【請求項３】
前記判定手段により、前記外部の画像形成装置にスタンプ機能がないと判定された場合、前記外部の画像形成装置に対するスタンプ画像出力を行うか、前記スタンプ画像の出力動作を停止するかを指定する指定手段を備えたことを特徴とする請求項１記載の画像形成装置。
【請求項４】
前記指定手段により前記スタンプ画像出力が指定された場合に、前記外部の画像形成装置への前記スタンプ画像の出力に必要なスタンプ出力情報を決定して前記外部の画像形成装置に送信する送信手段を備えることを特徴とする請求項２又は３に記載の画像形成装置。
【請求項５】
前記指定手段により前記スタンプ画像出力が指定された場合、前記スタンプ画像記憶手段から前記外部の画像形成装置に出力予定の前記スタンプ画像を取り出し、取り出したスタンプ画像と前記読取画像との合成処理を行う画像処理手段を更に備え、
前記送信手段は、前記スタンプ出力情報として、前記画像処理手段により合成処理が行われた画像を送信することを特徴とする請求項４記載の画像形成装置。
【請求項６】
外部の画像形成装置に接続され、読取画像にスタンプ画像を組み込むスタンプ機能を有する画像形成装置であって、
少なくとも一言語のスタンプ画像に関する情報を記憶するスタンプ画像記憶手段と、
前記スタンプ画像記憶手段に記憶されたスタンプ画像を、自装置に接続された前記外部の画像形成装置に出力するために、前記外部の画像形成装置との通信情報に基づいて、前記外部の画像形成装置がスタンプ機能を有するか否かを判定する判定手段と、
前記判定手段により、前記外部の画像形成装置にスタンプ機能がないと判定された場合、前記外部の画像形成装置に対するスタンプ出力動作を禁止する制御を行う出力制御手段と、
を備えることを特徴とする画像形成装置。
【請求項７】
前記判定手段により、前記外部の画像形成装置がスタンプ機能を有すると判定された場合に、前記外部の画像形成装置への前記スタンプ画像の出力に必要なスタンプ出力情報を決定して前記外部の画像形成装置に送信する送信手段を備えたことを特徴とする請求項２乃至６の何れか一項に記載の画像形成装置。
【請求項８】
外部の画像形成装置に接続され、読取画像にスタンプ画像を組み込むスタンプ機能を有する画像形成装置であって、
少なくとも一言語のスタンプ画像と、当該スタンプ画像の言語情報とを対応付けて記憶するスタンプ画像記憶手段と、
自装置の仕向け情報を記憶する仕向け情報記憶手段と、
自装置に接続された前記外部の画像形成装置との通信より、前記外部の画像形成装置の仕向け情報を取得する取得手段と、
前記スタンプ画像記憶手段に記憶されたスタンプ画像を、前記外部の画像形成装置に出力するために、前記仕向け情報記憶手段に記憶された自装置の仕向け情報と、前記取得手段により取得した前記外部の画像形成装置の仕向け情報とを比較する比較手段と、
前記比較手段による比較結果に基づいて、前記スタンプ画像出力に必要なスタンプ出力情報を決定して前記外部の画像形成装置に送信する送信手段と、
を備えることを特徴とする画像形成装置。
【請求項９】
前記送信手段は、前記外部の画像形成装置に対して、前記取得手段により取得された前記外部の画像形成装置の仕向け情報に対応した仕向け言語でのスタンプ画像出力を指示するスタンプ出力情報を送信することを特徴とする請求項８記載の画像形成装置。
【請求項１０】
前記送信手段は、前記外部の画像形成装置に対して、自装置の仕向け情報に対応した仕向け言語でのスタンプ画像出力を指示するスタンプ出力情報を送信することを特徴とする請求項８記載の画像形成装置。
【請求項１１】
前記比較手段による比較結果に基づいて、前記スタンプ画像で使用する言語を、前記外部の画像形成装置の仕向け情報に対応した仕向け言語にするか、自装置の仕向け情報に対応した仕向け言語にするかを指定する言語指定手段を更に備え、
前記送信手段は、前記外部の画像形成装置に、前記言語指定手段により指定された仕向け言語でのスタンプ出力情報を送信することを特徴とする請求項８記載の画像形成装置。
【請求項１２】
外部の画像形成装置に接続され、読取画像にスタンプ画像を組み込むスタンプ機能を有する画像形成装置であって、
少なくとも一言語のスタンプ画像と、そのスタンプ画像で使用される言語情報とを対応付けて記憶するスタンプ画像記憶手段と、
自装置の仕向け情報を記憶する仕向け情報記憶手段と、
前記スタンプ画像記憶手段に記憶されたスタンプ画像を、前記外部の画像形成装置に出力するために、前記外部の画像形成装置との通信情報に基づいて、前記外部の画像形成装置がスタンプ機能を有するか否かを判定する判定手段と、
自装置に接続された前記外部の画像形成装置との通信より、前記外部の画像形成装置の仕向け情報を取得する取得手段と、
前記仕向け情報記憶手段に記憶された自装置の仕向け情報と、前記取得手段により取得した前記外部の画像形成装置の仕向け情報とを比較する比較手段と、
前記判定手段による判定結果及び前記比較手段による比較結果に基づいて、前記スタンプ画像の出力に必要なスタンプ出力情報を決定して前記外部の画像形成装置に送信する送信手段と、
を備えることを特徴とする画像形成装置。
【請求項１３】
前記判定手段により、前記外部の画像形成装置にスタンプ機能がないと判定された場合、前記スタンプ画像記憶手段から、前記外部の画像形成装置に出力予定のスタンプ画像を取り出し、取り出したスタンプ画像と、前記読取画像との合成処理を行う画像処理手段を更に備え、
前記スタンプ画像記憶手段に、前記外部の画像形成装置の仕向け情報に対応した仕向け言語で前記出力予定のスタンプ画像と同種のスタンプ画像が記憶されているときは、前記画像処理手段は、前記スタンプ画像記憶手段から当該スタンプ画像を取り出し、取り出したスタンプ画像と前記読取画像との合成処理を行い、
前記送信手段は、前記スタンプ出力情報として、前記画像処理手段により合成処理が行われた画像を送信することを特徴とする請求項１２記載の画像形成装置。
【手続補正２】
【補正対象書類名】明細書
【補正対象項目名】０００５
【補正方法】変更
【補正の内容】
【０００５】
【課題を解決するための手段】
上記課題を解決するため、請求項１記載の発明は、
外部の画像形成装置に接続され、読取画像にスタンプ画像を組み込むスタンプ機能を有する画像形成装置であって、
少なくとも一言語のスタンプ画像に関する情報を記憶するスタンプ画像記憶手段と、
前記スタンプ画像記憶手段に記憶されたスタンプ画像を、自装置に接続された前記外部の画像形成装置に出力するために、前記外部の画像形成装置との通信情報に基づいて、前記外部の画像形成装置がスタンプ機能を有するか否かを判定する判定手段と、
前記判定手段により、前記外部の画像形成装置がスタンプ機能を有すると判定された場合に、前記外部の画像形成装置への前記スタンプ画像の出力に必要なスタンプ出力情報を決定して前記外部の画像形成装置に送信する送信手段と、
を備えることを特徴としている。
【手続補正３】
【補正対象書類名】明細書
【補正対象項目名】０００６
【補正方法】変更
【補正の内容】
【０００６】
請求項２記載の発明は、
外部の画像形成装置に接続され、読取画像にスタンプ画像を組み込むスタンプ機能を有する画像形成装置であって、
少なくとも一言語のスタンプ画像に関する情報を記憶するスタンプ画像記憶手段と、
前記スタンプ画像記憶手段に記憶されたスタンプ画像を、自装置に接続された前記外部の画像形成装置に出力するために、前記外部の画像形成装置との通信情報に基づいて、前記外部の画像形成装置がスタンプ機能を有するか否かを判定する判定手段と、
前記判定手段により、前記外部の画像形成装置にスタンプ機能がないと判定された場合、前記外部の画像形成装置に対するスタンプ画像出力を行うか、前記スタンプ画像の出力動作を停止するかを指定する指定手段と、
を備えることを特徴としている。
【手続補正４】
【補正対象書類名】明細書
【補正対象項目名】０００７
【補正方法】変更
【補正の内容】
【０００７】
請求項３記載の発明は、請求項１記載の発明において、
前記判定手段により、前記外部の画像形成装置にスタンプ機能がないと判定された場合、前記外部の画像形成装置に対するスタンプ画像出力を行うか、前記スタンプ画像の出力動作を停止するかを指定する指定手段を備えたことを特徴としている。
【手続補正５】
【補正対象書類名】明細書
【補正対象項目名】０００８
【補正方法】変更
【補正の内容】
【０００８】
請求項４記載の発明は、請求項２又は３に記載の発明において、
前記指定手段により前記スタンプ画像出力が指定された場合に、前記外部の画像形成装置への前記スタンプ画像の出力に必要なスタンプ出力情報を決定して前記外部の画像形成装置に送信する送信手段を備えることを特徴としている。
【手続補正６】
【補正対象書類名】明細書
【補正対象項目名】０００９
【補正方法】変更
【補正の内容】
【０００９】
請求項５に記載の発明は、請求項４記載の発明において、
前記指定手段により前記スタンプ画像出力が指定された場合、前記スタンプ画像記憶手段から前記外部の画像形成装置に出力予定の前記スタンプ画像を取り出し、取り出したスタンプ画像と前記読取画像との合成処理を行う画像処理手段を更に備え、
前記送信手段は、前記スタンプ出力情報として、前記画像処理手段により合成処理が行われた画像を送信することを特徴としている。
【手続補正７】
【補正対象書類名】明細書
【補正対象項目名】００１０
【補正方法】変更
【補正の内容】
【００１０】
請求項６記載の発明は、
外部の画像形成装置に接続され、読取画像にスタンプ画像を組み込むスタンプ機能を有する画像形成装置であって、
少なくとも一言語のスタンプ画像に関する情報を記憶するスタンプ画像記憶手段と、
前記スタンプ画像記憶手段に記憶されたスタンプ画像を、自装置に接続された前記外部の画像形成装置に出力するために、前記外部の画像形成装置との通信情報に基づいて、前記外部の画像形成装置がスタンプ機能を有するか否かを判定する判定手段と、
前記判定手段により、前記外部の画像形成装置にスタンプ機能がないと判定された場合、前記外部の画像形成装置に対するスタンプ出力動作を禁止する制御を行う出力制御手段と、を備えることを特徴としている。
【手続補正８】
【補正対象書類名】明細書
【補正対象項目名】００１１
【補正方法】変更
【補正の内容】
【００１１】
請求項７記載の発明は、請求項２乃至６の何れか一項に記載の発明において、
前記判定手段により、前記外部の画像形成装置がスタンプ機能を有すると判定された場合に、前記外部の画像形成装置への前記スタンプ画像の出力に必要なスタンプ出力情報を決定して前記外部の画像形成装置に送信する送信手段を備えたことを特徴としている。
【手続補正９】
【補正対象書類名】明細書
【補正対象項目名】００１２
【補正方法】変更
【補正の内容】
【００１２】
請求項８記載の発明は、
外部の画像形成装置に接続され、読取画像にスタンプ画像を組み込むスタンプ機能を有する画像形成装置であって、
少なくとも一言語のスタンプ画像と、当該スタンプ画像の言語情報とを対応付けて記憶するスタンプ画像記憶手段と、
自装置の仕向け情報を記憶する仕向け情報記憶手段と、
自装置に接続された前記外部の画像形成装置との通信より、前記外部の画像形成装置の仕向け情報を取得する取得手段と、
前記スタンプ画像記憶手段に記憶されたスタンプ画像を、前記外部の画像形成装置に出力するために、前記仕向け情報記憶手段に記憶された自装置の仕向け情報と、前記取得手段により取得した前記外部の画像形成装置の仕向け情報とを比較する比較手段と、
前記比較手段による比較結果に基づいて、前記スタンプ画像出力に必要なスタンプ出力情報を決定して前記外部の画像形成装置に送信する送信手段と、
を備えることを特徴としている。
【手続補正１０】
【補正対象書類名】明細書
【補正対象項目名】００１３
【補正方法】変更
【補正の内容】
【００１３】
請求項９記載の発明は、請求項８記載の発明において、
前記送信手段は、前記外部の画像形成装置に対して、前記取得手段により取得された前記外部の画像形成装置の仕向け情報に対応した仕向け言語でのスタンプ画像出力を指示するスタンプ出力情報を送信することを特徴としている。
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】変更
【補正の内容】
【００１５】
請求項１０に記載の発明は、請求項８記載の発明において、
前記送信手段は、前記外部の画像形成装置に対して、自装置の仕向け情報に対応した仕向け言語でのスタンプ画像出力を指示するスタンプ出力情報を送信することを特徴としている。
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】変更
【補正の内容】
【００１７】
請求項１１に記載の発明は、請求項８記載の発明において、
前記比較手段による比較結果に基づいて、前記スタンプ画像で使用する言語を、前記外部の画像形成装置の仕向け情報に対応した仕向け言語にするか、自装置の仕向け情報に対応した仕向け言語にするかを指定する言語指定手段を更に備え、
前記送信手段は、前記外部の画像形成装置に、前記言語指定手段により指定された仕向け言語でのスタンプ出力情報を送信することを特徴としている。
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】変更
【補正の内容】
【００１９】
請求項１２記載の発明は、
外部の画像形成装置に接続され、読取画像にスタンプ画像を組み込むスタンプ機能を有する画像形成装置であって、
少なくとも一言語のスタンプ画像と、そのスタンプ画像で使用される言語情報とを対応付けて記憶するスタンプ画像記憶手段と、
自装置の仕向け情報を記憶する仕向け情報記憶手段と、
前記スタンプ画像記憶手段に記憶されたスタンプ画像を、前記外部の画像形成装置に出力するために、前記外部の画像形成装置との通信情報に基づいて、前記外部の画像形成装置がスタンプ機能を有するか否かを判定する判定手段と、
自装置に接続された前記外部の画像形成装置との通信より、前記外部の画像形成装置の仕向け情報を取得する取得手段と、
前記仕向け情報記憶手段に記憶された自装置の仕向け情報と、前記取得手段により取得した前記外部の画像形成装置の仕向け情報とを比較する比較手段と、
前記判定手段による判定結果及び前記比較手段による比較結果に基づいて、前記スタンプ画像の出力に必要なスタンプ出力情報を決定して前記外部の画像形成装置に送信する送信手段と、
を備えることを特徴としている。
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】変更
【補正の内容】
【００２１】
請求項１３記載の発明は、請求項１２記載の発明において、
前記判定手段により、前記外部の画像形成装置にスタンプ機能がないと判定された場合、前記スタンプ画像記憶手段から、前記外部の画像形成装置に出力予定のスタンプ画像を取り出し、取り出したスタンプ画像と、前記読取画像との合成処理を行う画像処理手段を更に備え、
前記スタンプ画像記憶手段に、前記外部の画像形成装置の仕向け情報に対応した仕向け言語で前記出力予定のスタンプ画像と同種のスタンプ画像が記憶されているときは、前記画像処理手段は、前記スタンプ画像記憶手段から当該スタンプ画像を取り出し、取り出したスタンプ画像と前記読取画像との合成処理を行い、
前記送信手段は、前記スタンプ出力情報として、前記画像処理手段により合成処理が行われた画像を送信することを特徴としている。
【手続補正１９】
【補正対象書類名】明細書
【補正対象項目名】００２２
【補正方法】削除
【補正の内容】
【手続補正２０】
【補正対象書類名】明細書
【補正対象項目名】００８１
【補正方法】変更
【補正の内容】
【００８１】
【発明の効果】
請求項１及び４記載の発明によれば、自装置に接続された外部画像形成装置のスタンプ機能の有無に応じて、前記外部画像形成装置に対する適切なスタンプ画像出力が可能になる。また、請求項２及び３記載の発明によれば、前記外部の画像形成装置にスタンプ機能が搭載されていない場合、自装置のオペレータの判断により、スタンプ画像出力の実行や停止を指定可能にしたことにより、意味のないスタンプ画像出力を行わないなど、状況に応じた適切な処置が可能になる。
【手続補正２１】
【補正対象書類名】明細書
【補正対象項目名】００８２
【補正方法】変更
【補正の内容】
【００８２】
請求項５記載の発明によれば、請求項４記載の発明の効果に加えて、自装置に接続された外部の画像形成装置にスタンプ機能が搭載されていなくても、指定手段によりスタンプ画像出力が指定されれば、読取原稿にスタンプ画像を組み込んだ画像を前記外部の画像形成装置に送信することで、スタンプ機能が搭載されていない画像形成装置に対しても、スタンプ画像出力が可能になる。
【手続補正２２】
【補正対象書類名】明細書
【補正対象項目名】００８３
【補正方法】変更
【補正の内容】
【００８３】
また、請求項６記載の発明によれば、自装置に接続された外部の画像形成装置にスタンプ機能が搭載されていない場合、前記外部の画像形成装置に対するスタンプ画像出力を
行わないことで、前記外部の画像形成装置側の異常動作を防ぐことができる。
請求項７記載の発明によれば、請求項２乃至６の何れか一項の効果を有し、更に、外部の画像形成装置に対する適切なスタンプ画像出力が可能となる。
【手続補正２３】
【補正対象書類名】明細書
【補正対象項目名】００８４
【補正方法】変更
【補正の内容】
【００８４】
請求項８記載の発明によれば、自装置の仕向け情報と、自装置に接続された外部の画像形成装置の仕向け情報に応じて、前記外部の画像形成装置に対する適切なスタンプ画像出力が可能になる。
【手続補正２４】
【補正対象書類名】明細書
【補正対象項目名】００８５
【補正方法】変更
【補正の内容】
【００８５】
請求項９記載の発明によれば、請求項８記載の発明の効果に加えて、自装置に接続された外部の画像形成装置の仕向け言語でのスタンプ画像出力が可能になり、意味のあるスタンプ画像出力を行うことができる。
【手続補正２５】
【補正対象書類名】明細書
【補正対象項目名】００８６
【補正方法】変更
【補正の内容】
【００８６】
請求項１０記載の発明によれば、請求項８記載の発明の効果に加えて、自装置に、仕向け言語の異なる外部の画像形成装置が接続されていても、自装置の仕向け言語でのスタンプ画像出力を行うことで、生産性の向上を図ることができる。
【手続補正２６】
【補正対象書類名】明細書
【補正対象項目名】００８７
【補正方法】変更
【補正の内容】
【００８７】
請求項１１記載の発明によれば、請求項８記載の発明の効果に加えて、スタンプ画像で使用する言語を指定可能にしたことにより、利便性の向上を図ることができる。
【手続補正２７】
【補正対象書類名】明細書
【補正対象項目名】００８８
【補正方法】変更
【補正の内容】
【００８８】
請求項１２記載の発明によれば、自装置の仕向け情報と、自装置に接続された外部の画像形成装置の仕向け情報、及び前記外部の画像形成装置のスタンプ機能の有無に応じて、前記外部の画像形成装置に対する適切なスタンプ画像出力が可能になる。
【手続補正２８】
【補正対象書類名】明細書
【補正対象項目名】００８９
【補正方法】変更
【補正の内容】
【００８９】
請求項１３記載の発明によれば、請求項１２記載の発明の効果に加えて、自装置に接続された外部の画像形成装置にスタンプ機能が搭載されていなくても、前記外部の画像形成装置の仕向け言語でのスタンプ画像出力が可能になる。